(57)【要約】      （修正有）【課題】商用電源が近傍にない場所でも静かな環境で照明が点灯できるとともに、様々な場所での使用に対応して照明光度が調整できる照明装置を提供する。【解決手段】照明装置１０は、ＬＥＤを備える発光体１２と、発光体１２に接続可能で、電力を蓄えて供給する蓄電池１４と、発光体１２および蓄電池１４の少なくとも一方に接続可能で、光の照射によって電力が発生する可撓性の太陽光パネル１６と、発光体１２の点灯と消灯の切り換え、および発光体１２の点灯時の光度の多段階調整または発光体１２の点灯時の光度の連続調整を操作するスイッチを有している。【選択図】図１
0003214009.tif 000002
【実用新案登録請求の範囲】
【請求項１】
発光体と、
前記発光体に接続可能で、電力を蓄えて供給する蓄電池と、
前記発光体の点灯と消灯の切り換え、および前記発光体の点灯時の光度の多段階調整または前記発光体の点灯時の光度の連続調整を操作するスイッチと、
を有する照明装置。
【請求項２】
請求項１において、
前記発光体および前記蓄電池の少なくとも一方に接続可能で、光の照射によって電力が発生する可撓性の太陽光パネルをさらに有する照明装置。
【請求項３】
請求項１または２において、
前記発光体がＬＥＤを備える照明装置。
【請求項４】
請求項１から３のいずれかにおいて、
前記スイッチが前記発光体の近傍に設けられている照明装置。
【請求項５】
請求項１から３のいずれかにおいて、
前記スイッチが前記蓄電池に設けられている照明装置。
【考案の詳細な説明】
【技術分野】
【０００１】
本考案は、屋外工事現場や避難所等の商用電源がない場所で使用する照明装置に関するものである。
【背景技術】
【０００２】
夜間に屋外で作業をする場合や、災害時に避難所で夜間を過ごす場合は、照明が必要である。これらの屋外作業場所や避難所に商用電源がないとき、エンジンを駆動させる発電機を用いて照明を点灯させている。しかしながら、エンジンを駆動させる発電機は、エンジンの駆動音が大きいという問題がある。この問題に対処するため、蓄電池を用いて照明を点灯させる方法がある。しかしながら、夜間に照明を常時点灯させておくためには、昼間に蓄電池を充電しておく必要がある。
【０００３】
一方、照明装置の照明の光度を調整するスイッチとして、多段階スイッチまたは連続スイッチが知られている。大人数が滞在する避難所で夜を明かす場合、光度を落とした一定の照明を常時点灯させておくことが多い。多段階スイッチでは、最も光度を低くした場合でも明る過ぎて、睡眠が妨げられることがあった。また、連続スイッチでは、屋外工事現場で照明装置を用いる場合、作業時の振動や作業者の往来による照明装置への接触等により、スイッチの連続調整のツマミが動いて照明の光度が変化してしまうことがあった。
【考案の概要】
【考案が解決しようとする課題】
【０００４】
本考案はこのような事情に鑑みてなされたものであり、商用電源が近傍にない場所でも静かな環境で照明が点灯できるとともに、様々な場所での使用に対応して照明光度が調整できる照明装置を提供することを目的とする。
【課題を解決するための手段】
【０００５】
本考案の照明装置は、発光体と、発光体に接続可能で、電力を蓄えて供給する蓄電池と、発光体の点灯と消灯の切り換え、および発光体の点灯時の光度の多段階調整または発光体の点灯時の光度の連続調整を操作するスイッチとを有する。
【０００６】
本考案の照明装置において、発光体および蓄電池の少なくとも一方に接続可能で、光の照射によって電力が発生する可撓性の太陽光パネルをさらに有することが好ましい。また、本考案の照明装置において、発光体はＬＥＤを備えることが好ましい。また、本考案の照明装置において、スイッチが発光体の近傍に設けられていてもよい。また、本考案の照明装置において、スイッチが蓄電池に設けられていてもよい。
【考案の効果】
【０００７】
本考案の照明装置は、電力を蓄えて供給する蓄電池を備えている。このため、静かな環境で照明が点灯できる。また、本考案の照明装置は、発光体の点灯と消灯の切り換え、および発光体の点灯時の光度の多段階調整または発光体の点灯時の光度の連続調整を操作するスイッチを備えている。このため、照明光度の調整が様々な場所での使用に対応できる。
【図面の簡単な説明】
【０００８】
【図１】本考案の実施形態に係る照明装置の各構成部材の斜視図。
【図２】本考案の実施形態に係る照明装置のスイッチの正面図。
【図３】本考案の実施形態に係る照明装置の電気回路図。
【考案を実施するための形態】
【０００９】
以下、本考案の照明装置について、図面を参照しながら実施形態に基づいて説明する。なお、図面は、照明装置、照明装置の構成部材、および照明装置の周辺部材を模式的に表したものであり、これらの実物の寸法および寸法比は、図面上の寸法および寸法比と必ずしも一致していない。重複説明は適宜省略する。図１は、本考案の実施形態に係る照明装置１０の各構成部材を示している。
【００１０】
照明装置１０は、発光体１２と、蓄電池１４と、太陽光パネル１６と、スイッチ１８（図１では不図示）を備えている。発光体１２はＬＥＤを備えている。本実施形態では、２つの発光体１２の全てがＬＥＤである。このため、消費電力が抑えられ、蓄電池１４での点灯時間が長くできる。また、発熱が抑えられ、避難所等で使用するときに、火傷や火災の危険度が抑えられる。さらに、照明装置１０を防災用品として所有する場合、発光体１２の点検や交換の労力が少なくできる。なお、照明装置１０の使用状況に応じて、発光体１２が白熱灯や蛍光灯等を備えていてもよい。
【００１１】
発光体１２は、折りたたんで小型化できるように、三脚２０で支持されている。このため、照明装置１０が運搬しやすい。また、発光体１２は、蓄電池１４に接続するための電源プラグ２２を備えている。蓄電池１４は、電源プラグ２２によって発光体１２に接続可能で、電力を蓄えて発光体１２に供給する。蓄電池１４は、商用電源に接続するための電源プラグ２４を備えている。蓄電池１４は、夜間に発光体１２に電力を供給するため、例えば昼間に商用電源から充電しておく。蓄電池１４が運搬しやすいように、蓄電池１４の上面には把手２６が設けられている。
【００１２】
太陽光パネル１６は、発光体１２および蓄電池１４の少なくとも一方に接続可能で、太陽光等の光の照射によって電力が発生する。すなわち、商用電源が近傍にない場所で照明装置１０を使用する場合、太陽光パネル１６を蓄電池１４に接続し、太陽光等が照射される位置に太陽光パネル１６を設置して、太陽光パネル１６で発生した電力を蓄電池１４に蓄えておける。
【００１３】
昼間でも薄暗いような屋内で照明装置１０を昼間に使用するときには、太陽光パネル１６を、直接、または蓄電池１４等を介して発光体１２に接続し、太陽光等が照射される位置に太陽光パネル１６を設置して、太陽光パネル１６で発電しながら発光体１２を点灯させてもよい。また、太陽光パネル１６は可撓性を備えている。このため、図１に示すように、太陽光パネル１６を丸めて小型化でき、照明装置１０が運搬しやすい。なお、太陽光パネル１６は、折りたたんで小型してもよい。
【００１４】
図２は、スイッチ１８の正面を示している。スイッチ１８は、発光体１２の点灯と消灯の切り換えを操作するＯＮ−ＯＦＦ切替部３０を備えている。本実施形態では、ボタンの左右の移動によって、点灯のＯＮと消灯のＯＦＦを切り替える。また、スイッチ１８は、発光体１２の点灯時の光度を多段階で調整する多段階調整部３２を備えている。本実施形態では、多段階調整部３２のつまみを左右に回転させることによって、発光体１２の光度を４段階で調整できる。すなわち、多段階調整部３２のつまみは、４段階のいずれかの位置で停止するように構成されている。また、本実施形態では、左回転（反時計回り）すると発光体１２の光度が大きくなり、右回転（時計回り）すると発光体１２の光度が小さくなるように、多段階調整部３２のつまみが設定されている。
【００１５】
スイッチ１８は、発光体１２の点灯時の光度を無段階で、すなわち連続的に調整する連続調整部３４を備えている。本実施形態では、連続調整部３４のつまみを左右に回転させることによって、発光体１２の光度を連続的に調整できる。すなわち、連続調整部３４のつまみは、発光体１２の光度の最大値から最小値の間の任意の位置で停止するように構成されている。また、本実施形態では、左回転（反時計回り）すると発光体１２の光度が大きくなり、右回転（時計回り）すると発光体１２の光度が小さくなるように、連続調整部３４のつまみが設定されている。なお、発光体１２の光度の最小値を発光体１２の消灯となるように、連続調整部３４のつまみを設定してもよい。
【００１６】
スイッチ１８は、多段階調整部３２と連続調整部３４との操作を選択的に切り替える多段階−連続切替部３６を備えている。このため、照明装置１０の使用状況に応じて、発光体１２の点灯時の光度を多段階または連続で調整できる。なお、多段階−連続切替部３６に代えて、多段階調整部３２の１つの段階を、連続調整部３４の操作への切替位置にしてもよい。例えば、屋外工事現場で照明装置１０を使用する場合は、発光体１２の点灯時の光度が一定に保てるように、多段階調整部３２で発光体１２の光度を操作する。一方、例えば、避難所で照明装置１０を使用する場合は、睡眠の妨げにならないように微妙な発光体１２の光度調整ができように、連続調整部３４で発光体１２の光度を操作する。
【００１７】
スイッチ１８は、発光体１２の近傍に設けられてもよいし、蓄電池１４と一体化して設けられてもよい。例えば、屋外工事現場用の照明装置１０では、スイッチ１８を発光体１２の近傍に設け、発光体１２の点灯時の光度をすぐに変更できるようにする。一方、例えば、避難所用の照明装置１０では、スイッチ１８を蓄電池１４と一体化して設け、蓄電池１４を発光体１２から隔離して、誰でもスイッチ１８を操作できないようする。
【００１８】
図３は、照明装置１０の電気回路を示している。照明装置１０は、図３に示すように、蓄電池１４に相当するバッテリー／インバータと、発光体１２に相当するＬＥＤドライバーおよびＬＥＤ照明と、スイッチを備えている。スイッチは、図３に示すように、発光体１２の点灯と消灯の切り換えと、発光体１２の点灯時の光度の多段階調整または発光体１２の点灯時の光度の連続調整とが操作できるように構成されている。
【符号の説明】
【００１９】
１０  照明装置
１２  発光体
１４  蓄電池
１６  太陽光パネル
１８  スイッチ
２０  三脚
２２  電源プラグ
２４  電源プラグ
２６  把手
３０  ＯＮ−ＯＦＦ切替部
３２  多段階調整部
３６  多段階−連続切替部
【図１】
0003214009.tif 000003
【図２】
0003214009.tif 000004
【図３】
0003214009.tif 000005